(57)【要約】  【課題】演出モードの選択の自由を維持しつつ、演出モードを自動的に選択し得るようにして、複数種類の演出モード全てを有効に活用し、しかも、大当たり抽選に関する遊技演出の効果を高めることができる、パチンコ遊技機を提供する。  【解決手段】サブ制御装置２５は、画像演出を異なる表示内容で画像表示器１６に表示させる３種類の演出モードＡ〜Ｃを備えるとともに、３種類の演出モードＡ〜Ｃの中から実行する１つの演出モードを、演出ボタン３１の操作を介して任意に選択可能な第１演出モード選択処理と、メイン制御装置２１から大当たり抽選に関する情報を受けて自動的に選択する第２演出モード選択処理とを実行可能である。【選択図】  図１０
2010088509.tif 000002
【特許請求の範囲】
【請求項１】
遊技盤に設けられた始動入賞口と、遊技盤に設けられた大入賞口を開閉する大入賞口装置と、始動入賞口への遊技球の入賞を契機に大当たり抽選を行うとともに、この大当たり抽選で当選した場合に大当たり遊技として大入賞口を開閉させるように大入賞口装置を制御するメイン制御装置と、遊技盤に設けられた画像表示器と、この画像表示器に前記大当たり抽選を演出する画像演出を表示させるように画像表示器を制御する演出制御装置とを備えたパチンコ遊技機において、
遊技者が操作して演出制御装置に入力可能な演出ボタンを備え、
前記演出制御装置は、
前記画像演出を異なる表示内容で画像表示器に表示させる複数種類の演出モードを備えるとともに、
前記複数種類の演出モードの中から実行する１つの演出モードを、演出ボタンの操作を介して任意に選択可能な第１演出モード選択手段と、メイン制御装置から前記大当たり抽選に関する情報を受けて自動的に選択する第２演出モード選択手段と、
を備えたことを特徴とするパチンコ遊技機。
【請求項２】
前記メイン制御装置は、前記大当たり抽選の当選確率を確変抽選で落選した場合に所定の低確率に設定し確変抽選で当選した場合に前記低確率よりも高い高確率に設定するように構成され、
前記第２演出モード選択手段は、現在の前記大当たり抽選の当選確率に応じて複数種類の演出モードの選択率を異ならせたことを特徴とする請求項１に記載のパチンコ遊技機。
【請求項３】
前記第２演出モード選択手段は、現在実行中の演出モードに応じて複数種類の演出モードの選択率を異ならせたことを特徴とする請求項２に記載のパチンコ遊技機。
【請求項４】
前記大当たり抽選で当選し且つ確変抽選で当選したとき、前記大当たり遊技が実質出球を得られない大入賞口の開閉を行う突確大当たり遊技の場合、第２演出モード選択手段が演出モードの選択を実行することを特徴とする請求項２又は３に記載のパチンコ遊技機。
【請求項５】
前記演出制御装置は、前記突確大当たり遊技後、前記大当たり抽選で当選する迄の間、第１演出モード選択手段による演出モードの選択を禁止することを特徴とする請求項４に記載のパチンコ遊技機。
【請求項６】
前記演出制御装置は、第２演出モード選択手段による演出モードの選択後、前記大当たり抽選が所定回数行われる又は所定時間経過する迄の間、第１演出モード選択手段による演出モードの選択を禁止することを特徴とする請求項１に記載のパチンコ遊技機。
【発明の詳細な説明】
【技術分野】
【０００１】
本発明はパチンコ遊技機に関し、特に、画像表示器に大当たり抽選を演出する画像演出を表示させるが、この画像演出を異なる表示内容で表示させる複数種類の演出モードの中から実行する１つ演出モードを演出ボタンの操作を介して選択可能なものである。
【背景技術】
【０００２】
従来、主流のパチンコ遊技機では、始動入賞口への遊技球の入賞を契機に大当たり抽選が行われ、その抽選で当選した場合に、大当たり遊技として、大入賞口装置が作動して、通常は閉塞の大入賞口が複数ラウンド（例えば、１５Ｒ）に亙って開閉される。各ラウンドは大入賞口を開放した後に規定数（例えば、１０個）の遊技球の大入賞口への入賞又は規定時間（例えば、約３０秒）の経過により大入賞口を閉塞して終了し、このラウンドを複数ラウンド継続させる開閉パターンとなるように大入賞口装置が制御される。
【０００３】
更に、主流のパチンコ遊技機は、大当たり抽選で当選した場合に確変抽選が行われ、当該大当たり遊技後の大当たり抽選の当選確率を、確変抽選で落選した場合には低確率（例えば、１／３００程度）に設定するが、確変抽選で当選した場合には、高確率（例えば、１／３０程度）に設定する確変機能を搭載している。この種のパチンコ遊技機においては、確変機能として、大当たり抽選で当選し且つ確変抽選で当選したとき、大当たり遊技が実質出球を得られない大入賞口の開閉を行う突確大当たり遊技となる突確機能を搭載したもの、また、大当たり遊技後、大当たり抽選の当選確率が高確率である確変遊技状態であるが、それを見た目判らない状態とする潜伏確変機能を搭載したものが公知である。
【０００４】
大当たり抽選を行うパチンコ遊技機では、通常、画像表示器に大当たり抽選を演出する画像演出が表示され、遊技者は、この画像演出を見て、遊技興趣を高められ、大当たり抽選の結果を知ることができる。但し、突確機能を搭載したものでは、大当たり抽選で大当たりに属さない小当たり抽選も行われ、大当たりに当選した場合と小当たりに当選した場合の抽選結果を判別しにくいようにするとともに、小当たりに当選した場合には、大入賞口の開閉を突確大当たり遊技の場合と同様に行うものが公知である。
【０００５】
ところで、画像表示器に大当たり抽選を演出する画像演出を表示させるパチンコ遊技機において、この画像演出を異なる表示内容で表示させる複数種類の演出モードの中から実行する１つ演出モードを選択するようにしたものが実用に供されている。例えば、実機としてのパチンコ遊技機には、複数種類の演出モードの中から実行する１つの演出モードを演出ボタンの操作を介して任意に選択可能なものが存在する。
【０００６】
また、特許文献１に記載のパチンコ遊技機では、遊技店員が遊技店用スイッチを操作して、３種類の演出モードの中の１つの演出モードを初期モードに設定しておき、遊技者は遊技者用スイッチを操作して、３種類の演出モードの中から実行する１つの演出モードを任意に選択することができるが、遊技者が遊技していない状態が長く続いた場合、現在の演出モードが初期モード以外の演出モードの場合には初期モードに自動的に復帰する。また、特許文献１には、３種類の演出モードの中から実行する１つの演出モードを店内輝度に応じて自動的に選択する技術も開示されている。
【０００７】
【特許文献１】特開平１１−２９９９９２号公報
【発明の開示】
【発明が解決しようとする課題】
【０００８】
画像表示器に大当たり抽選を演出する画像演出を表示させるパチンコ遊技機において、画像演出を異なる表示内容で表示させる複数種類の演出モードの中から実行する１つ演出モードを演出ボタンの操作を介して任意に選択可能なものでは、遊技者が実行する演出モードを自由に決めることができるが、それ故、遊技者によって、演出モードの選択に偏りが生じ、所望の演出モードばかり実行させることがあり、また、遊技者が演出モードを選択できることを知らない場合や、選択できることを知っていても選択方法を知らない場合も同様で、つまり、複数種類の演出モード全てが有効に活用されないことが多い。
【０００９】
特許文献１に記載のパチンコ遊技機では、基本的には、遊技者が遊技者用スイッチを操作して、３種類の演出モードの中から実行する１つの演出モードを任意に選択するものであるため、上記同様の課題が生じる。但し、遊技店員が遊技店用スイッチを操作して、３種類の演出モードの中の１つの演出モードを初期モードに設定しておき、遊技者が遊技していない状態が長く続いた場合、現在の演出モードが初期モード以外の演出モードの場合には初期モードに自動的に復帰するようになっている。
【００１０】
しかし、この初期モードへの自動復帰は、新たに遊技を始める遊技者が所定の演出モード（初期演出モード）で遊技を開始できることを目的に、遊技者の勝敗を左右する大当たり抽選に関係なく行われるものであり、つまり、大当たり抽選に関する遊技演出の効果を高めるものではない。また、３種類の演出モードの中から実行する１つの演出モードを店内輝度に応じて自動的に選択する場合についても同様、この演出モードの自動選択によって、大当たり抽選に関する遊技演出の効果を高めることはできない。
【００１１】
本発明の目的は、演出モードの選択の自由を維持しつつ、演出モードを自動的に選択し得るようにして、複数種類の演出モード全てを有効に活用し、しかも、大当たり抽選に関する遊技演出の効果を高めることができる、パチンコ遊技機を提供することである。
【課題を解決するための手段】
【００１２】
本発明のパチンコ遊技機は、遊技盤に設けられた始動入賞口と、遊技盤に設けられた大入賞口を開閉する大入賞口装置と、始動入賞口への遊技球の入賞を契機に大当たり抽選を行うとともに、この大当たり抽選で当選した場合に大当たり遊技として大入賞口を開閉させるように大入賞口装置を制御するメイン制御装置と、遊技盤に設けられた画像表示器と、この画像表示器に前記大当たり抽選を演出する画像演出を表示させるように画像表示器を制御する演出制御装置とを備えている。
【００１３】
請求項１の発明は、遊技者が操作して演出制御装置に入力可能な演出ボタンを備え、前記演出制御装置は、前記画像演出を異なる表示内容で画像表示器に表示させる複数種類の演出モードを備えるとともに、前記複数種類の演出モードの中から実行する１つの演出モードを、演出ボタンの操作を介して任意に選択可能な第１演出モード選択手段と、メイン制御装置から前記大当たり抽選に関する情報を受けて自動的に選択する第２演出モード選択手段とを備えたことを特徴としている。
【００１４】
つまり、複数種類の演出モードの中から実行する１つの演出モードを選択する場合、第１演出モード選択手段により、演出ボタンの操作を介して任意に選択可能であるため、演出モードの選択の自由が維持され、第２演出モード選択手段により、メイン制御装置から大当たり抽選に関する情報を受けて自動的に選択されるため、複数種類の演出モード全てが有効に活用され、且つ、大当たり抽選に関する遊技演出の効果が高められる。
【００１５】
ここで、請求項１の従属請求項として次の構成を採用可能である。
前記メイン制御装置は、前記大当たり抽選の当選確率を確変抽選で落選した場合に所定の低確率に設定し確変抽選で当選した場合に前記低確率よりも高い高確率に設定するように構成され、前記第２演出モード選択手段は、現在の前記大当たり抽選の当選確率に応じて複数種類の演出モードの選択率を異ならせる（請求項２）。
【００１６】
前記第２演出モード選択手段は、現在実行中の演出モードに応じて複数種類の演出モードの選択率を異ならせる（請求項３）。前記大当たり抽選で当選し且つ確変抽選で当選したとき、前記大当たり遊技が実質出球を得られない大入賞口の開閉を行う突確大当たり遊技の場合、第２演出モード選択手段が演出モードの選択を実行する（請求項４）。
【００１７】
前記演出制御装置は、前記突確大当たり遊技後、前記大当たり抽選で当選する迄の間、第１演出モード選択手段による演出モードの選択を禁止する（請求項５）。前記演出制御装置は、第２演出モード選択手段による演出モードの選択後、前記大当たり抽選が所定回数行われる又は所定時間経過する迄の間、第１演出モード選択手段による演出モードの選択を禁止する（請求項６）。
【発明の効果】
【００１８】
請求項１のパチンコ遊技機によれば、演出制御装置は、画像演出を異なる表示内容で画像表示器に表示させる複数種類の演出モードを備えるとともに、複数種類の演出モードの中から実行する１つの演出モードを、演出ボタンの操作を介して任意に選択可能な第１演出モード選択手段と、メイン制御装置から大当たり抽選に関する情報を受けて自動的に選択する第２演出モード選択手段とを備えたので、演出モードの選択の自由を維持しつつ、演出モードを自動的に選択し得るようにして、複数種類の演出モード全てを有効に活用し、しかも、大当たり抽選に関する遊技演出の効果を高めることができる。
【００１９】
請求項２のパチンコ遊技機によれば、メイン制御装置は、大当たり抽選の当選確率を確変抽選で落選した場合に所定の低確率に設定し確変抽選で当選した場合に低確率よりも高い高確率に設定するように構成され、第２演出モード選択手段は、現在の大当たり抽選の当選確率に応じて複数種類の演出モードの選択率を異ならせたので、第２演出モード選択手段による演出モードの選択が行われた場合に、選択された演出モードによって、現在の大当たり抽選の当選確率が低確率なのか高確率なのかを示唆するように構成できる。
【００２０】
請求項３のパチンコ遊技機によれば、第２演出モード選択手段は、現在実行中の演出モードに応じて複数種類の演出モードの選択率を異ならせたので、第２演出モード選択手段による演出モードの選択が行われた場合に、選択された演出モードによって、現在実行中の演出モードを加味して、現在の大当たり抽選の当選確率が低確率なのか高確率なのかを示唆するように構成できる。
【００２１】
請求項４のパチンコ遊技機によれば、大当たり抽選で当選し且つ確変抽選で当選したとき、大当たり遊技が実質出球を得られない大入賞口の開閉を行う突確大当たり遊技の場合、第２演出モード選択手段が演出モードの選択を実行するので、実質出球を得られないものの、この選択された演出モードによって、大当たり抽選で当選し易い高確率であることを示唆するように構成できる。
【００２２】
請求項５のパチンコ遊技機によれば、演出制御装置は、突確大当たり遊技後、大当たり抽選で当選する迄の間、第１演出モード選択手段による演出モードの選択を禁止するので、遊技者が演出ボタンを操作して通常可能な演出モードの選択（変更）を行うことができないことでもって、大当たり抽選で当選し易い高確率であることを間接的に報知できる。
【００２３】
請求項６のパチンコ遊技機によれば、演出制御装置は、第２演出モード選択手段による演出モードの選択後、大当たり抽選が所定回数行われる又は所定時間経過する迄の間、第１演出モード選択手段による演出モードの選択を禁止するので、第２演出モード選択手段で選択された演出モードを他の演出モードに暫くは変更できないようにして実行させ、複数種類の演出モード全てを確実に有効活用できる。
【発明を実施するための最良の形態】
【００２４】
本発明は、遊技盤に設けられた始動入賞口と、遊技盤に設けられた大入賞口を開閉する大入賞口装置と、始動入賞口への遊技球の入賞を契機に大当たり抽選を行うとともに、この大当たり抽選で当選した場合に大当たり遊技として大入賞口を開閉させるように大入賞口装置を制御するメイン制御装置と、遊技盤に設けられた画像表示器と、この画像表示器に前記たり抽選を演出する画像演出を表示させるように画像表示器を制御する演出制御装置とを備えたパチンコ遊技機に適用されるものである。
【実施例】
【００２５】
図１、図２に示すように、パチンコ遊技機１には、遊技ホールに取付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓３ａが形成され、その窓３ａに透明板３ｂが装着され、その透明板３ｂにより遊技領域５の前側が覆われている。
【００２６】
開閉扉３の窓３ａの下側に、遊技球を貯留する貯留皿６と、遊技者が操作する発射ハンドル７が装着されている。発射ハンドル７が回動操作されると、貯留皿６から発射位置に導入された遊技球が発射され、ここで、貯留皿６に複数の遊技球が存在する場合には、例えば、複数の遊技球が約０．６秒間隔で連続発射される。発射された遊技球は、ガイドレール８で案内されて遊技領域５の上部に投入される。
【００２７】
図２、図３に示すように、遊技盤４には、多数の障害釘１０、始動入賞口装置１１、ゲート１２、大入賞口装置１３、普通入賞口１５、画像表示器１６、センタ役物１７が遊技領域５に装着され、遊技領域５外に遊技表示盤１８が装着され、遊技盤４の裏面側に制御装置２０が装着されている。
【００２８】
始動入賞口装置１１は、センタ役物１７の下側に配置され、所謂電チューを含む構成で、上始動入賞口１１ａ、下始動入賞口１１ｂ、下始動入賞口１１ｂを開閉する開閉部材１１ｃ、始動入賞口１１ａ，１１ｂに入賞した遊技球を検出する始動口ＳＷ１１ｄ、開閉部材１１ｃを開閉駆動する電チューソレノイド１１ｅを有する。開閉部材１１ｃは、左右対称の２つの短い羽根部材が盤面直角方向の軸回りに動作するように構成され、閉塞位置で下始動入賞口１１ｂへの遊技球の入賞を不可能にし、開放位置で下始動入賞口１１ｂへの遊技球の入賞を可能にする。尚、図２の開閉部材１１ｃは閉塞位置にある。
【００２９】
ゲート１２はセンタ役物１７の左側に配置され、このゲート１２を通過した遊技球を検出するゲートＳＷ１２ａが付設されている。ゲート１２を遊技球が通過することを契機に行われる抽選で当選した場合に、始動入賞口装置１１が作動して、通常は閉塞の下始動入賞口１１ｂが開閉するように開閉部材１１ｃを動作させる。
【００３０】
大入賞口装置１３は、始動入賞口装置１１の下側に配置され、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ソレノイド１３ｄを有する。開閉部材１３ｂは、盤面平行方向の軸回りに動作するように構成され、閉塞位置で大入賞口１３ａへの遊技球の入賞を不可能にし、開放位置で大入賞口１３ａへの遊技球の入賞を可能にする。尚、図２の開閉部材１３ｂは開放位置にある。
【００３１】
始動入賞口１１ａ，１１ｂへの遊技球の入賞を契機に行われる大当たり抽選で当選した場合に、大当たり遊技が発生し、大入賞口装置１３が作動して、通常は閉塞の大入賞口１３ａが開閉するように開閉部材１３ｂを動作させる。普通入賞口１５は複数設けられ、この普通入賞口１５に入賞した遊技球を検出する普通入賞口ＳＷ１５ａが付設されている。
【００３２】
画像表示器１６は、液晶ディスプレイからなり、センタ役物１７に大きく配置されている。この画像表示器１６には、後で詳述する３種類の何れかの演出モードで、始動入賞口１１ａ，１１ｂへの遊技球の入賞を契機に行われる大当たり抽選を演出する画像演出が表示され、その画像演出では、例えば、演出図柄を用いた図柄変動や抽選結果が表示される。センタ役物１７には、画像表示器１６の他に種々の電飾も設けられている。
【００３３】
遊技表示盤１８は、遊技領域５の下部右側に前方へ向けて配置され、７セグメントの特別図柄表示器１８ａ、○×で表示する普通図柄表示器１８ｂ、４つの特別図柄保留ランプ１８ｃ、４つの普通図柄保留ランプ１８ｄを備え、これら表示器１８ａ〜１８ｄはＬＥＤを発光源としている。特別図柄表示器１８ａでは、始動入賞口１１ａ，１１ｂへの遊技球の入賞を契機に行われる大当たり抽選の結果が変動表示後に表示され、普通図柄表示器１８ｂでは、ゲート１２を遊技球が通過することを契機に行われる抽選の結果が変動表示後に表示される。
【００３４】
特別図柄表示器１８ａの変動表示中に、始動入賞口１１ａ，１１ｂに入賞した遊技球の数であって、特別図柄表示器１８ａの変動に供しない（後で大当たり抽選の結果が得られる）特別図柄の保留数が最大で４つまで保留され、特別図柄保留ランプ１８ｃには、その特別図柄の保留数が表示される。同様に、普通図柄表示器１８ｂの変動表示中に、ゲート１２を通過した遊技球の数であって、普通図柄表示器１８ｂの変動に供しない（後で抽選の結果が得られる）普通図柄の保留数が最大で４つまで保留され、普通図柄保留ランプ１８ｄには、その普通図柄の保留数が表示される。
【００３５】
発射ハンドル７を回動操作することで、発射され遊技領域５の上部に投入された遊技球は、複数の障害釘１０に当たって方向を変えながら落下して、入賞口１１ａ，１１ｂ，１３ａ，１５の何れかに入賞した場合、そこから遊技領域５外へ排出され、入賞口１１ａ，１１ｂ，１３ａ，１５の何れにも入賞しなかった場合には、最終的に、遊技領域５の下端部に形成されたアウト口１９から遊技領域５外へ排出される。
【００３６】
図３に示すように、制御装置２０は、メイン制御装置２１とサブ制御装置２５とで構成されている。メイン制御装置２１は、メイン制御基板２２にＣＰＵとＲＯＭとＲＡＭを備えて構成され、サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成されている。
【００３７】
メイン制御基板２２が、始動口ＳＷ１１ｄ、ゲートＳＷ１２ａ、大入賞口ＳＷ１３ｃ、普通入賞口ＳＷ１５ａから検出信号を受けて、また、払出制御基板２６から制御情報を受けて、電チューソレノイド１１ｅ、大入賞口ソレノイド１３ｄ、特別図柄表示器１８ａ、普通図柄表示器１８ｂ、特別図柄保留ランプ１８ｃ、普通図柄保留ランプ１８ｄを制御する。
【００３８】
メイン制御装置２１は、始動入賞口１１ａ，１１ｂへの遊技球の入賞を契機に大当たり抽選を行うとともに、この大当たり抽選で当選した場合に大当たり遊技として大入賞口１３ａを所定の開閉パターンで開閉させるように大入賞口装置１３を制御するとともに、大当たり抽選の当選確率を確変抽選で落選した場合に所定の低確率（例えば、約１／３００）に設定し確変抽選で当選した場合に低確率よりも高い高確率（例えば、約１／３０）に設定するように構成されている。
【００３９】
払出制御基板２６は、メイン制御基板２２から制御情報を受けて、払出駆動モータ３０を制御し、入賞口１１ａ，１１ｂ，１３ａ，１５への遊技球の入賞１個について、入賞口１１ａ，１１ｂ，１３ａ，１５毎に設定された数の遊技球を貯留皿６に払い出す。演出制御基板２７は、メイン制御基板２２から制御情報を受けて、また、演出ボタン３１から入力信号を受けて、画像制御基板２８とランプ制御基板２９に夫々制御情報を出力する。
【００４０】
遊技者が操作して演出制御基板２７に入力可能な演出ボタン３１は例えば貯留皿６に設けられている。画像制御基板２８は、演出制御基板２７から制御情報を受けて、画像表示器１６とスピーカ３２を制御する。ランプ制御基板２９は、演出制御基板２７から制御情報を受けて、主に画像制御基板２８による制御に同期させて、枠ランプ３３と盤ランプ３４と可動役物３５を制御する。例えば、スピーカ３２と枠ランプ３３は開閉扉３に設けられ、盤ランプ３４と可動役物３５は遊技盤４に設けられている。
【００４１】
サブ制御装置２５（演出制御基板２７と画像制御基板２８）が、画像表示器１６に大当たり抽選を演出する画像演出を表示させるように画像表示器１６を制御する演出制御装置に相当し、このサブ制御装置２５は、画像演出を異なる表示内容で画像表示器１６に表示させる複数種類（例えば、３種類）の演出モードを備えるとともに、この複数種類の演出モードの中から実行する１つの演出モードを、演出ボタン３１の操作を介して任意に選択可能な機能（第１演出モード選択手段）と、メイン制御装置２１から大当たり抽選に関する情報を受けて自動的に選択する機能（第２演出モード選択手段）とを備えている。
【００４２】
次に、図４〜図９に基づいてメイン制御装置２１が実行する処理・制御について説明し、その後、図１０〜図１７に基づいて複数種類の演出モードとサブ制御装置２５が実行する処理・制御について具体的に説明する。
【００４３】
先ず、図４に示すように、メイン制御装置２１のメイン処理では、乱数更新処理（Ｓ１）、始動口ＳＷ処理（Ｓ２）、ゲートＳＷ処理（Ｓ３）、特別図柄処理（Ｓ４）、普通図柄処理（Ｓ５）、大入賞口処理（Ｓ６）、電チュー処理（Ｓ７）、賞球処理（Ｓ８）、出力処理（Ｓ９）が順次実行され、その後、Ｓ１０の初期値乱数の更新とＳ１１の変動パターン乱数の更新が繰り返し実行され、Ｓ１〜Ｓ９の処理については微小時間間隔毎の割込み処理にて実行される。
【００４４】
図５に示すように、Ｓ２の始動口ＳＷ処理では、始動口ＳＷ１１ｄがＯＮになった場合（Ｓ２０；Yes ）、特別図柄の保留数Ｕが４未満の場合に（Ｓ２１；Yes ）、保留数ＵがＵ＋１にインクリメントされ（Ｓ２２）、大当たり乱数、大当たり図柄乱数、リーチ乱数、変動パターン乱数が取得格納され（Ｓ２３）、リターンする。前記各乱数はＳ１の乱数更新処理において所定範囲内において逐次更新され、Ｓ２３では、始動口ＳＷ１１ｄがＯＮになった時に発生している乱数が取得格納される。
【００４５】
図６に示すように、Ｓ４の特別図柄処理では、大当たり中でない場合（Ｓ３０；No）、特別図柄が変動中でない場合に（Ｓ３１；No）、更に、特別図柄の保留数Ｕが１以上の場合に（Ｓ３２；Yes ）、保留数ＵがＵ−１にディクリメントされ（Ｓ３３）、大当たり判定処理（Ｓ３４）が実行される。
【００４６】
図７に示すように、Ｓ３４の大当たり判定処理では、Ｓ２３で取得格納された最も古い大当たり乱数の判定が行われ（Ｓ５０）、図８に示すように、その大当たり乱数が、通常遊技状態の場合には１／３００の割合で大当たり特定乱数（例えば、「３」）と一致すると、確変遊技状態の場合には１／３０の割合で大当たり特定乱数（例えば、「３」、「７」、「３７」・・）と一致すると、大当たりと判定され、また、小当たり特定乱数（例えば、「０」、「５０」、「１００」・・）と一致すると、小当たりと判定される。
【００４７】
そして、大当たりの場合（Ｓ５１；Yes ）、Ｓ２３で取得格納された最も古い大当たり図柄乱数の判定が行われ（Ｓ５２）、図９に示すように、その大当たり図柄乱数が、例えば、４／１０の割合で「４」〜「７」の何れかと一致した場合（Ｓ５３；Yes ）、確変図柄Ａがセットされ（Ｓ５４）、２／１０の割合で「８」〜「９」の何れかと一致した場合（Ｓ５３；No、Ｓ５５；Yes ）、確変図柄Ｂがセットされ（Ｓ５６）、４／１０の割合で「０」〜「３」の何れかと一致した場合（Ｓ５３；No、Ｓ５５；No）、通常図柄がセットされ（Ｓ５７）、リターンする。
【００４８】
一方、Ｓ５１；No、つまり、大当たりでない場合、大当たり図柄乱数に基づいて、小当たりの場合には（Ｓ５８；Yes ）、小当たり図柄がセットされ（Ｓ５９）、小当たりでない場合には（Ｓ５８；No）、ハズレ図柄がセットされ（Ｓ６０）、リターンする。ここで、Ｓ２３、Ｓ５２等が確変抽選に相当し、通常図柄が選択されると、確変抽選で落選して、当該大当たり遊技後に通常遊技状態が設定されて、大当たり抽選の当選確率が低確率の１／３００になり、確変図柄Ａ又は確変図柄Ｂが選択されると、確変抽選で当選して、当該大当たり遊技後に確変遊技状態が設定されて、大当たり抽選の当選確率が高確率の１／３０になる。
【００４９】
図６に示すように、Ｓ３４の大当たり判定処理の後、変動パターン選択処理（Ｓ３５）が実行されて、Ｓ２３で取得格納された大当たり乱数、大当たり図柄乱数、リーチ乱数、変動パターン乱数等に基づいて変動パターン（変動時間）が選択され、次に、Ｓ３５で選択された変動パターンとＳ３４でセットされた図柄と遊技状態の情報を含む変動開始コマンドがセットされ（Ｓ３６）、続いて、特別図柄表示器１８ａで特別図柄の変動が開始され（Ｓ３７）、その変動時間の計測が開始され（Ｓ３８）、リターンする。尚、Ｓ３６でセットされたコマンド、また、後の説明でセットされるコマンドは、図４のＳ９の出力処理において、サブ制御装置２５に出力される。
【００５０】
一方、Ｓ３１；Yes 、つまり、特別図柄が変動中の場合、Ｓ３８から計測開始された変動時間が所定時間に達して、変動時間終了の場合には（Ｓ３９；Yes ）、変動停止コマンドがセットされ（Ｓ４０）、特別図柄表示器１８ａで特別図柄が変動停止されて（Ｓ４１）、Ｓ５４、Ｓ５６、Ｓ５７でセットされた図柄が抽選結果として表示され、変動時間がリセットされ（Ｓ４２）、停止中処理（Ｓ４３）が実行されて、リターンする。
【００５１】
次に、図４に示すＳ６の大入賞口処理では、始動入賞口１１ａ，１１ｂへの遊技球の入賞を契機に行われる大当たり抽選で当選し、図７の大当たり判定処理で図柄が確変図柄Ａ又は通常図柄になった場合には、大当たり遊技として大入賞口１３ａを開放した後に規定数；１０個の遊技球の大入賞口１３ａへの入賞又は規定時間；約３０秒の経過により大入賞口１３ａを閉塞して終了するラウンドを１５ラウンド継続させる開閉パターンとなるように大入賞口装置１３が制御される。
【００５２】
また、図７の大当たり判定処理で図柄が確変図柄Ｂになった場合には、大当たり遊技として大入賞口１３ａを開放した後に規定数；１０個の遊技球の大入賞口１３ａへの入賞又は規定時間；約１秒の経過により大入賞口１３ａを閉塞して終了するラウンドを２ラウンド継続させる開閉パターンとなるように大入賞口装置１３が制御され、この大当たり遊技が実質出球を得られない大入賞口１３の開閉を行う突確大当たり遊技となる。始動入賞口１１ａ，１１ｂへの遊技球の入賞を契機に行われる小当たり抽選で当選し、図７の大当たり判定処理で図柄が小当たり図柄になった場合には、大入賞口１３ａの開閉を突確大当たり遊技の場合と同様に行う開閉パターンとなるように大入賞口装置１３が制御される。
【００５３】
次に、複数種類の演出モードについて説明する。
サブ制御装置２５は、画像演出を異なる表示内容で画像表示器１６に表示させる複数種類の演出モードとして、図１３に示すように、演出図柄の背景画面や、その背景画面上に登場するキャラクターや、そのキャラクターの動き等について、恋愛に関係する「恋愛ステージ」となる画像演出が表示される演出モードＡ、時代劇に関係する「時代劇ステージ」となる画像演出が表示される演出モードＢ、ヒーローに関係する「ヒーローステージ」となる画像演出が表示される演出モードＣ、の３種類の演出モードＡ〜Ｃを備えている。
【００５４】
そして、サブ制御装置２５は、３種類の演出モードＡ〜Ｃの中から選択された１つの演出モードを実行し、各演出モードＡ〜Ｃでは、メイン制御装置２１から受ける変動パターン（変動時間）の情報等に応じて、キャラクターの動き等が異なる複数種類の画像演出パターンの中から１つの画像演出パターンを選択して画像表示器１６に表示させ、そのために、各画像演出パターンを生成する為の複数種類の画像データを記憶している。
【００５５】
次に、サブ制御装置２５が実行する演出処理について説明する。
図１０に示すように、サブ制御装置２５の演出処理では、先ず、特別図柄が変動中でない場合に（Ｓ７０；No）、変動開始コマンドが受信されない場合（Ｓ７１）、つまり、メイン制御装置２１において、図６のＳ３６で変動開始コマンドがセットされず、即ち、変動開始コマンドが図４のＳ９でサブ制御装置２５に出力されない場合には、第１演出モード選択処理（Ｓ７２）が実行される。
【００５６】
図１１に示すように、Ｓ７２の第１演出モード選択処理では、選択禁止フラグＦが０の場合に（Ｓ８０；Yes ）、選択禁止回数ｎが０の場合（Ｓ８１；Yes ）、演出ボタン３１が操作されると（Ｓ８２；Yes ）、演出モードが手動選択される（Ｓ８３）。Ｓ８２；Noの場合又はＳ８３の後、選択された演出モードが確定すると（Ｓ８４；Yes ）、リターンし、確定しなければ（Ｓ８４；No）、Ｓ８２へリターンする。
【００５７】
例えば、演出ボタン３１は１つのプッシュボタンからなり、演出ボタン３１を押すと、図１７（ａ）〜（ｃ）に示すように、演出モードＡ〜Ｃの選択画面が表示され、最初は、図１７（ａ）に示すように、演出モードＡが他の演出モードモードよりも拡大表示される。そこで、演出ボタン３１を押すと、図１７（ｂ）に示すように、演出モードＢが他の演出モードモードよりも拡大表示され、更に、演出ボタン３１を押すと、図１７（ｃ）に示すように、演出モードＣが他の演出モードモードよりも拡大表示される。
【００５８】
このように、演出ボタン３１を押す毎に、拡大表示される演出モードがＡ→Ｂ→Ｃ→Ａ→Ｂ・・のように順次切換えられ、メイン制御装置２１から変動開始コマンドを受信する、或いは、演出ボタン３１を最後に押した時から所定時間（例えば、５秒）経過すると、Ｓ８４；Yes となり、ここで拡大表示されている演出モードの選択が確定する。
【００５９】
図１０に示すように、Ｓ７２の第１演出モード選択処理の後、演出モードの変更が有る場合（Ｓ７３；Yes ）、選択された演出モードに切換える演出モード切換処理（Ｓ７４）が実行され、リターンする。一方、特別図柄が変動中でない場合に（Ｓ７０；No）、メイン制御装置２１から変動開始コマンドが受信されると（Ｓ７１；Yes ）、その変動開始コマンドが解析され（Ｓ７５）、画像演出処理（７６）が実行されて、画像演出が全体的に動的表示となり、続いて、第２演出モード選択処理（Ｓ７７）が実行される。
【００６０】
図１２に示すように、Ｓ７７の第２演出モード選択処理では、Ｓ７５の解析から、図柄と遊技状態が取得され（Ｓ９０）、その図柄が確変図柄Ｂ又は小当たり図柄の場合にはＳ９１；Yes ）、演出モードが抽選選択される（Ｓ９２）。この演出モードの抽選にあたって、図１４〜図１６に示す演出モード選択テーブルが記憶されている。これらの演出モード選択テーブルは、現在滞在している（実行している）演出モードと遊技状態（低確or高確）によって、３種類の演出モードＡ〜Ｃの選択率を決定するものである。これにより、３種類の演出モードＡ〜Ｃの選択率を、現在の大当たり抽選の当選確率に応じて異ならせ、更に、現在実行中の演出モードに応じて異ならせている。
【００６１】
その後、選択された演出モードが確定し（Ｓ９３；Yes ）、図柄が確変図柄Ｂの場合には（Ｓ９４；Yes ）、選択禁止フラグＦに１がセットされ（Ｓ９５）、図柄が確変図柄Ｂでない場合（Ｓ９４；No）、つまり、図柄が小当たり図柄の場合には、選択禁止回数ｎに２０がセットされ（Ｓ９６）、リターンする。一方、Ｓ９１；No、つまり、図柄が確変図柄Ｂでない場合、図柄が確変図柄Ａ又は通常図柄の場合には（Ｓ９７；Yes ）、選択禁止フラグＦに０がセットされ（Ｓ９８）、図柄が確変図柄Ａ又は通常図柄でない場合（Ｓ９７；No）、つまり，ハズレ図柄の場合に、選択禁止回数ｎが１以上の場合には（Ｓ９９；Yes ）、選択禁止回数ｎがｎ−１にディクリメントされ（Ｓ１００）、リターンする。
【００６２】
ここで、Ｓ９２の演出モード抽選選択後、Ｓ９５において選択禁止フラグＦに１がセットされると、図１１の第１演出モード選択処理においてＳ８０；Noになり直ちにリターンし、その後、Ｓ９７；Yes になり、Ｓ９８において選択禁止フラグＦに０がセットされると、図１１の第１演出モード選択処理においてＳ８０；Yes になることから、突確大当たり遊技後、大当たり抽選で当選する迄の間、第１演出モード選択手段による演出モードの選択を禁止するようにしている。
【００６３】
また、Ｓ９２の演出モード抽選選択後、Ｓ９６において選択禁止回数ｎに２０がセットされると、Ｓ１００の実行毎にｎがディクリメントされるが、ｎが１以上の場合、図１１の第１演出モード選択処理においてＳ８１；Noになり直ちにリターンし、その後、ｎが０になると、図１１の第１演出モード選択処理においてＳ８１；Yes になることから、第２演出モード選択手段による演出モードの選択後、大当たり抽選が所定回数行われる迄の間、第１演出モード選択手段による演出モードの選択を禁止するようにしている。
【００６４】
図１０に示すように、Ｓ７７の第２演出モード選択処理の後、Ｓ７３へ移行し、前記同様、演出モードの変更が有る場合（Ｓ７３；Yes ）、選択された演出モードに切換える演出モード切換処理（Ｓ７４）が実行され、リターンする。尚、特別図柄が変動中の場合に（Ｓ７０；Yes ）、メイン制御装置２１から変動停止コマンドが受信されると（Ｓ７８；Yes ）、画像演出停止処理（Ｓ７９）が実行されて、画像演出が全体的に静的表示となり、リターンする。
【００６５】
以上説明したパチンコ遊技機１によれば次の作用・効果を奏する。
始動入賞口１１ａ，１１ｂへの遊技球の入賞を契機に大当たり抽選が行われ、その大当たり抽選の結果が特別図柄表示器１８ａで変動表示後に表示され、特別図柄表示器１８ａが変動中には、画像表示器１６の画像演出も全体的に動的表示となる。そして、特別図柄表示器１８ａが変動停止している場合、つまり、画像表示器１６の画像演出が全体的に静的表示となっている場合、遊技者は演出ボタン３１を操作して３種類の演出モードＡ〜Ｃの中から実行させる好みの演出モードを選択することができる。
【００６６】
大当たり抽選で当選し、図柄が確変図柄Ａ又は通常図柄の場合には、出球を多く得られる大入賞口１３ａを１５ラウンドに亙って開閉する大当たり遊技が発生し、図柄が確変図柄Ｂの場合には、実質出球を得られない大入賞口１３ａを２ラウンドに亙って開閉する突確大当たり遊技が発生する。また、大当たり抽選で小当たりに当選した場合には、大入賞口１３ａの開閉が突確大当たり遊技の場合と同様に行われる。
【００６７】
ここで、図柄が確変図柄Ｂか小当たり図柄かを判別しにくいようにし、また、その抽選を演出する画像演出も同様にする。そこで、図柄が確変図柄Ｂと小当たり図柄の何れになった場合にも、自動的に３種類の演出モードＡ〜Ｃの中から実行させる演出モードが選択されるため、大当たり抽選の当選確率が高確率になることを、先ず、この演出モードの自動選択が行われることで遊技者が期待し、更に、遊技者が図１４〜図１６に示す選択率を大凡でも知っていれば、滞在していた演出モードと、次に滞在する演出モードとから、大当たり抽選の当選確率が高確率になる期待度を知ることができる。
【００６８】
このパチンコ遊技機１によれば、サブ制御装置２５は、画像演出を異なる表示内容で画像表示器１６に表示させる３種類の演出モードＡ〜Ｃを備えるとともに、３種類の演出モードＡ〜Ｃの中から実行する１つの演出モードを、演出ボタン３１の操作を介して任意に選択可能な第１演出モード選択処理と、メイン制御装置２１から大当たり抽選に関する情報を受けて自動的に選択する第２演出モード選択処理とを実行可能であるため、演出モードの選択の自由を維持しつつ、演出モードを自動的に選択し得るようにして、３種類の演出モードＡ〜Ｃ全てを有効に活用し、しかも、大当たり抽選に関する遊技演出の効果を高めることができる。
【００６９】
メイン制御装置２１は、大当たり抽選の当選確率を確変抽選で落選した場合に低確率に設定し確変抽選で当選した場合に低確率よりも高い高確率に設定するように構成され、第２演出モード選択処理では、現在の大当たり抽選の当選確率に応じて３種類の演出モードＡ〜Ｃの選択率を異ならせたので、更に、現在実行中の演出モードに応じて３種類の演出モードＡ〜Ｃの選択率を異ならせたので、第２演出モード選択処理による演出モードの選択が行われた場合に、選択された演出モードによって、更に、現在実行中の演出モードを加味して、現在の大当たり抽選の当選確率が低確率なのか高確率なのかを示唆するように構成できる。
【００７０】
大当たり抽選で当選し且つ確変抽選で当選したとき、大当たり遊技が実質出球を得られない大入賞口１３ａの開閉を行う突確大当たり遊技の場合、第２演出モード選択処理が演出モードの選択を実行するので、実質出球を得られないものの、この選択された演出モードによって、大当たり抽選で当選し易い高確率であることを示唆するように構成できる。サブ制御装置２５は、突確大当たり遊技後、大当たり抽選で当選する迄の間、第１演出モード選択処理による演出モードの選択を禁止するので、遊技者が演出ボタン３１を操作して通常可能な演出モードの選択（変更）を行うことができないことでもって、大当たり抽選で当選し易い高確率であることを間接的に報知できる。
【００７１】
サブ制御装置２５は、第２演出モード選択処理による演出モードの選択後、大当たり抽選が２０回数行われる迄の間、第１演出モード選択処理による演出モードの選択を禁止するので、第２演出モード選択処理で選択された演出モードを他の演出モードに暫くは変更できないようにして実行させ、３種類の演出モードＡ〜Ｃ全てを確実に有効活用できる。
【００７２】
次に、前記実施例を部分的に変更した変形例について説明する。
（１）サブ制御装置２５は、画像演出を異なる表示内容で画像表示器１６に表示させる２種類又は４種類以上の演出モードを備えてもよい。
（２）第２演出モード選択処理では、大当たり抽選で当選して図柄が確変図柄Ｂになる場合と、小当たりに当選した場合に、演出モードを自動的に選択しているが、その他の大当たり抽選の結果を契機に演出モードを自動的に選択してもよい。
【００７３】
（３）サブ制御装置２５は、突確大当たり遊技後、大当たり抽選で当選する迄の間、第１演出モード選択処理による演出モードの選択を禁止しないようにしてもよい。
（４）サブ制御装置２５が、第２演出モード選択処理による演出モードの選択後、第１演出モード選択処理による演出モードの選択を禁止する、大当たり抽選が所定回数について、２０以外に種々設定可能である。また、サブ制御装置２５が、第２演出モード選択処理による演出モードの選択後、所定時間経過する迄の間、第１演出モード選択処理による演出モードの選択を禁止してもよい。この場合の所定時間も種々設定可能である。
【００７４】
その他、本発明の趣旨を逸脱しない範囲において、前記開示事項以外の種々の変更を付加して実施可能である。また、本発明は、大入賞口装置として２つの大入賞口を設けているパチンコ遊技機等、種々のパチンコ遊技機に適用できる。
【図面の簡単な説明】
【００７５】
【図１】パチンコ遊技機の正面図である。
【図２】遊技盤の正面図である。
【図３】パチンコ遊技機の制御系のブロック図である。
【図４】メイン制御装置が実行するメイン処理のフローチャートである。
【図５】始動口ＳＷ処理のフローチャートである。
【図６】特別図柄処理のフローチャートである。
【図７】大当たり判定処理のフローチャートである。
【図８】大当たり抽選用のテーブルである。
【図９】大当たり図柄抽選用のテーブルである。
【図１０】サブ制御装置が実行する演出処理のフローチャートである。
【図１１】第１演出モード選択処理のフローチャートである。
【図１２】第２演出モード選択処理のフローチャートである。
【図１３】３種類の演出モードの内容を示す図である。
【図１４】演出モード選択用（演出モードＡ滞在時）のテーブルである。
【図１５】演出モード選択用（演出モードＢ滞在時）のテーブルである。
【図１６】演出モード選択用（演出モードＣ滞在時）のテーブルである。
【図１７】演出モード選択画面である。
【符号の説明】
【００７６】
１  パチンコ遊技機
４  遊技盤
１１ａ，１１ｂ  始動入賞口
１３  大入賞口装置
１３ａ  大入賞口
１６  画像表示器
２１  メイン制御装置
２５  サブ制御装置
【図１】
2010088509.tif 000003
【図２】
2010088509.tif 000004
【図３】
2010088509.tif 000005
【図４】
2010088509.tif 000006
【図５】
2010088509.tif 000007
【図６】
2010088509.tif 000008
【図７】
2010088509.tif 000009
【図８】
2010088509.tif 000010
【図９】
2010088509.tif 000011
【図１０】
2010088509.tif 000012
【図１１】
2010088509.tif 000013
【図１２】
2010088509.tif 000014
【図１３】
2010088509.tif 000015
【図１４】
2010088509.tif 000016
【図１５】
2010088509.tif 000017
【図１６】
2010088509.tif 000018
【図１７】
2010088509.tif 000019